(57)【要約】【課題】  所謂キャプスタンロック不良による回転不良を防止することを目的とする。【解決手段】  テープ１０を供給リール１０ａと巻取リール１０ｂとの間を所定速度で走行するキャプスタン１１ａとこのキャプスタン１１ａと同期して回転するキャプスタンギア１４と、この巻取リール１０ｂとこの供給リール１０ａとを選択的に回転駆動する首振ギア１８と、このキャプスタンギア１４の回転をこの首振ギア１８に伝達するタイミングベルト１５とを有するテープ走行装置において、このタイミングベルト１５のこのキャプスタンギア１４側に一側にこのタイミングベルト１５の張り調整用突起２０ｄを有し、この張り調整用突起２０ｄに連結し、一方のベルト案内溝２０ａを介して異物侵入防止壁２０ｃを設けると共にこの異物侵入防止壁２０ｃに連結して他側に他方のベルト案内溝２０ｂを有するベルトガイド２０を設けたものである。【選択図】        図１
2005285155.tif 000002
【特許請求の範囲】
【請求項１】
テープを供給リールと巻取リールと間を所定速度で走行するキャプスタンと、
該キャプスタンと同期して回転するキャプスタンギアと、
前記巻取リールと前記供給リールとを選択的に回転駆動する首振ギアと、
前記キャプスタンギアの回転を前記首振ギアに伝達するタイミングベルトとを有するテープ走行装置において、
前記タイミングベルトの前記キャプスタンギア側に、一側に前記タイミングベルトの張り調整用突起を有し、該張り調整用突起に連結し、一方のベルト案内溝を介して異物侵入防止壁を設けると共に該異物侵入防止壁に連結して他側に他方のベルト案内溝を有するベルトガイドを設けたことを特徴とするテープ走行装置。
【請求項２】
請求項１に記載のテープ走行装置において、
前記ベルトガイドの前記他側を回動軸とし、前記張り調整用突起を首振り自在とし、前記タイミングベルトが走行しているとき前記タイミングベルトに所定のテンションが掛かるようにすると共に前記タイミングベルトが停止しているときに前記テンションを緩めるようにしたことを特徴とするテープ走行装置。
【請求項３】
請求項２記載のテープ走行装置において、
前記ベルトガイドの前記回動軸は前記タイミングベルトの一側及び他側間の外側であることを特徴とするテープ走行装置。
【請求項４】
請求項２又は３記載のテープ走行装置において、
前記テープガイドの前記張り調整用突起側の下面に突起を設け、該突起をシャーシに設けた所定長の長孔に係合するようにしたことを特徴とするテープ走行装置。
【請求項５】
請求項４記載のテープ走行装置において、
前記テープガイドの前記張り調整用突起側の下面の突起は前記タイミングベルトの一側及び他側間の外側であることを特徴とするテープ走行装置。
【発明の詳細な説明】
【技術分野】
【０００１】
本発明は、例えばビデオテープレコーダの磁気テープを走行するのに使用して好適なテープ走行装置に関する。
【背景技術】
【０００２】
従来、ビデオテープレコーダの磁気テープを走行するテープ走行装置として例えば図８に示す如きものが提案されている（特許文献１参照）。
【０００３】
この図８につき説明するに、１はシャーシ、２はシャーシ１上に配置されたモータ及びヘッド内臓の回転ドラム、３及び４はガイドポストである。５はシャーシ１上に軸５ａを中心として回動可能に配置されたテンションアームで、先端にテンションピン６が植立されている。
【０００４】
７及び８はそれぞれ軸７ａ及び８ａを中心として回転可能にシャーシ１上に配置された供給リール台及び巻取リール台である。供給リール台７及び巻取リール台８の外周にはギア部７ｂ及び８ｂが形成されており、これらギア部７ｂ及び８ｂと不図示のリール係合部との間にはトルクリミッタが介在されている。また、供給リール台７の外周でギア部７ｂと異なる周面には、一端９ａをテンションアーム５に固定しかつ他端９ｂをシャーシ１に固定したテンションベルト９が巻装されている。
【０００５】
１０は磁気テープであり、供給リール台７上に載置された供給リール１０ａから供給され、テンションピン６、ガイドポスト３、回転ドラム２、ガイドポスト４と順次掛け渡されて、巻取リール台８上に載置された巻取リール１０ｂに巻取られる。
【０００６】
１１はキャプスタンモータで、その回転軸がキャプスタン１１ａにて構成されると共に、キャプスタンギア１４が形成されている。１２はシャーシ１上に軸１２ａを中心として回動可能に配置されたピンチローラアームで、先端にピンチローラ１３が回転可能に支持され、このピンチローラ１３とキャプスタン１１ａとによって磁気テープ１０が挟持される。
この磁気テープ１０はキャプスタン１１ａ及びピンチローラ１３により所定速度で走行される如くなされている。
【０００７】
キャプスタンギア１４にはタイミングベルト１５が巻装されている。１９はタイミングベルト１５の張り調整用ピンである。
【０００８】
１６はシャーシ１上に軸１６ａを中心として回転可能に配置された上下２段のドライブギアで、大ギア部１６ｂにはタイミングベルト１５が巻装され、小ギア部１６ｃは首振アーム１７に回転可能に支持された首振ギア１８に係合されている。首振アーム１７は軸１６ａを中心として回動可能に設けられ、ドライブギア１６の回転方向に追従して揺動され、首振ギア１８が供給リール台７のギア部７ｂと巻取リール台８のギア部８ｂとに選択的に係合される。
【０００９】
このテープ走行装置の動作につき説明するに、キャプスタンモータ１１が回転駆動するとキャプスタンギア１４が回転し、この回転力はタイミングベルト１５、ドライブギア１６、首振ギア１８に伝達される。
【００１０】
このとき伝達された回転力がドライブギア１６を時計回り方向の回転力であれば、首振ギア１８を図８において、軸１６ａを中心として右方向に移動して巻取リール１０ｂ側の巻取リール台８のギア部８ｂに係合されると共に、首振ギア１８を介して巻取リール台８を時計回り方向（磁気テープ１０の送り方向）に回転させる。
【００１１】
また伝達された回転力がドライブギア１６を反時計回り方向の回転力であれば、首振ギア１８を図８において、軸１６ａを中心として左方向に移動して供給リール１０ａ側の供給リール台７のギア部７ｂに係合されると共に、首振ギア１８を介して供給リール台７を反時計回り方向（磁気テープ１０の巻戻方向）に回転させる。
【特許文献１】特許第２６７６４６０号公報
【発明の開示】
【発明が解決しようとする課題】
【００１２】
斯る、図８に示す如きテープ走行装置においては、タイミングベルト１５の走行時の一方向の一側及び他方向の他側間の矢印ａ方向に隙間があり、この隙間より異物が侵入するおそれがあり、この隙間より異物が侵入したときには、この異物がキャプスタンモータ１１、キャプスタン１１ａ、キャプスタンギア１４等の回転部に噛み込み所謂キャプスタンロック不良による回転不良を発生するおそれがある不都合があった。
【００１３】
本発明は斯る点に鑑み、所謂キャプスタンロック不良による回転不良を防止することを目的とする。
【課題を解決するための手段】
【００１４】
本発明テープ走行装置は、テープを供給リールと巻取リールと間を所定速度で走行するキャプスタンと、このキャプスタンと同期して回転するキャプスタンギアと、この巻取リールとこの供給リールとを選択的に回転駆動する首振ギアと、このキャプスタンギアの回転をこの首振ギアに伝達するタイミングベルトとを有するテープ走行装置において、このタイミングベルトのこのキャプスタンギア側に、一側にこのタイミングベルトの張り調整用突起を有し、この張り調整用突起に連結し、一方のベルト案内溝を介して異物侵入防止壁を設けると共にこの異物侵入防止壁に連続して他側に他方のベルト案内溝を有するベルトガイドを設けたものである。
【発明の効果】
【００１５】
本発明によれば、タイミングベルトのキャプスタンギア側にこのタイミングベルトの一側及び他側を夫々案内する一方及び他方のベルト案内溝を有すると共に、この一方及び他方のベルト案内溝間に異物侵入防止壁を有するベルトガイドを設けたので、タイミングベルトの一方向の一側及び他方向の他側間の隙間がこのベルトガイドの異物侵入防止壁で塞がれ、異物の侵入を防止することができ、所謂キャプスタン不良による回転不良を防止することができる。
【発明を実施するための最良の形態】
【００１６】
以下図１〜図４を参照して本発明テープ走行装置を実施するための最良の形態の一例につき説明する。図１において図８に対応する部分には同一符号を付して示す。
【００１７】
図１において、１はシャーシ、２はシャーシ１上に配置されたモータ及びヘッド内蔵の回転ドラム、３及び４はガイドポストである。５はシャーシ１上に軸５ａを中心として回転可能に配置されたテンションアームで、先端にテンションピン６が植立されている。
【００１８】
７及び８はそれぞれ軸７ａ及び８ａを中心として回転可能にシャーシ１上に配置された供給リール台及び巻取リール台である。供給リール台７及び巻取リール台８の外周にはギア部７ｂ及び８ｂが形成されており、これらギア部７ｂ及び８ｂと不図示のリール係合部との間にはトルクリミッタが介在されている。また、供給リール台７の外周でギア部７ｂと異なる周面には、一端９ａをテンションアーム５に固定しかつ他端９ｂをシャーシ１に固定したテンションベルト９が巻装されている。
【００１９】
１０は磁気テープであり、供給リール台７上に載置された供給リール１０ａから供給され、テンションピン６、ガイドポスト３、回転ドラム２、ガイドポスト４と順次に掛け渡されて、巻取リール台８上に載置された巻取リール１０ｂに巻取られる。
【００２０】
１１はキャプスタンモータで、その回転軸がキャプスタン１１ａにて構成されると共に、このキャプスタン１１ａと同軸にキャプスタンギア１４が設けられている。１２はシャーシ１上に軸１２ａを中心として回動可能に配置されたピンチローラアームで、先端にピンチローラ１３が回転可能に支持され、このピンチローラ１３とキャプスタン１１ａとによってテープ１０が挟持される。このキャプスタン１１ａ及びピンチローラ１３により磁気テープ１０を所定速度で走行する如くする。
【００２１】
このキャプスタンギア１４にはタイミングベルト１５が巻装されている。このタイミングベルト１５は内面に所定ピッチの鋸歯状突起を設けたもので、伸びを少なくするためゴムベルトに繊維が混入されたものが使用され、走行時に所定のテンションを与えることを可としている。
【００２２】
１６はシャーシ１上に軸１６ａを中心として回転可能に配置された上下２段のドライブギアで、大ギア部１６ｂにはタイミングベルト１５が巻装され、小ギア部１６ｃは首振アーム１７に回転可能に支持された首振ギア１８に係合されている。首振アーム１７は軸１６ａを中心として回動可能に設けられ、ドライブギア１６の回転方向に追従して揺動され、首振ギア１８が供給リール台７のギア部７ｂと巻取リール台８のギア部８ｂとに選択的に係合される。
【００２３】
このテープ走行装置の動作につき説明するにキャプスタンモータ１１が回転駆動するとキャプスタンギア１４が回転し、この回転力はタイミングベルト１５、ドライブギア１６、首振ギア１８に伝達される。
【００２４】
このとき伝達された回転力がドライブギア１６を時計回り方向の回転力であれば首振ギア１８を図１において軸１６ａを中心として右方向に移動して巻取リール１０ｂ側の巻取リール台８のギア部８ｂに係合されると共に首振ギア１８を介して巻取リール台８を時計回り方向（磁気テープ１０の送り方向）に回転させる。
【００２５】
また伝達された回転力がドライブギア６を反時計回り方向の回転力であれば、首振ギア１８を図１において、軸１６ａを中心として左方向に移動して供給リール１０ａ側の供給リール台７のギア部７ｂに係合されると共に首振ギア１８を介して供給リール台７を反時計回り方向（磁気テープ１０の巻戻方向）に回転させる。
【００２６】
本例においては、図１に示す如く、このタイミングベルト１５のキャプスタンギア１４側に、図２に示すような、一側にこのタイミングベルト１５の張り調整用突起２０ｄを有し、この張り調整用突起２０ｄに連結し、一方のベルト案内溝２０ａを介して異物侵入防止壁２０ｃを設けると共にこの異物侵入防止壁２０ｃに連結して他側に他方のベルト案内溝２０ｂを有するベルトガイド２０を設ける如くする。
【００２７】
このベルトガイド２０の一例としては図２に示す如く、異物侵入防止壁２０ｃの一方の側面と、この一方の側面に連結して対向する張り調整用突起２０ｄとで一方のベルト案内溝２０ａを構成する。この張り調整用突起２０ｄの異物侵入防止壁２０ｃの側面との対向面を曲面とし、タイミングベルト１５の走行がスムーズに行なわれる如くする。
【００２８】
また、この異物侵入防止壁２０ｃの他方の側面に対応する側に図３に示す如き、シャーシ１の所定位置に植立した固定用ボス２１との嵌合用孔２０ｅを設け、このベルトガイド２０をシャーシ１に固定したときに、この異物侵入防止壁２０ｃの他方の側面とこの嵌合用孔２０ｅの壁及び固定用ボス２１とで他方のベルト案内溝２０ｂを形成する如くする。
【００２９】
また、このベルトガイド２０の張り調整用突起２０ｄの下側にボス２０ｆを設け、このボス２０ｆを図３に示す如くシャーシ１の所定位置に形成した固定孔２２に嵌合する如くする。この場合ベルトガイド２０は合成樹脂により一体成形する如くする。
【００３０】
図４はこのベルトガイド２０をシャーシ１に取付けた場合の部分的な断面図を示す。この図４において、２３は図１では省略しているキャプスタンモータ１１の上面固定板を示し、この上面固定板２３の所定部分をビス２４で固定用ボス２１に固定する如くする。
【００３１】
本例によればタイミングベルト１５のキャプスタンギア１４側にこのタイミングベルト１５の一側１５ａ及び他側１５ｂを夫々案内する一方のベルト案内溝２０ａ及び他方のベルト案内溝２０ｂを有すると共にこの一方のベルト案内溝２０ａ及び他方のベルト案内溝２０ｂの間に異物侵入防止壁２０ｃを有するベルトガイド２０を設けたので、このタイミングベルト１５の一方向の一側１５ａ及び他方向の他側１５ｂ間の隙間がこのベルトガイド２０の異物侵入防止壁２０ｃで塞がれ、異物の侵入を防止することができ、所謂キャプスタンロック不良による回転不良を防止することができる。
【００３２】
また、このベルトガイド２０の張り調整用突起２０ｄが従来のタイミングベルト１５の張り調整用ピン１９と同様の作用を行う。
【００３３】
また、図５、図６及び図７を参照して本発明テープ走行装置を実施するための最良の形態の他の例の要部につき説明する。この図５、図６及び図７につき説明するに、図１〜図３に対応する部分には同一符号を付し、その詳細説明は省略する。
【００３４】
本例においては、図１に示す如く、タイミングベルト１５のキャプスタンギア１４側に、図５に示すような、一側にこのタイミングベルト１５の張り調整用突起２０ｄを有し、この張り調整用突起２０ｄに連結し、一方のベルト案内溝２０ａを介して異物侵入防止壁２０ｃを設けると共にこの異物侵入防止壁２０ｃに連結して他側に他方のベルト案内溝２０ｂを有するベルトガイド２０を設ける如くする。
【００３５】
この図５例に示すベルトガイド２０は異物侵入防止壁２０ｃの一方の側面とこの一方の側面に連結して対向する張り調整用突起２０ｄとで一方のベルト案内溝２０ａを構成する。この張り調整用突起２０ｄの異物侵入防止壁２０ｃの側面との対向面を曲面としタイミングベルト１５の走行がスムーズに行なわれる如くする。
【００３６】
また、この異物侵入防止壁２０ｃの他方の側面とこの他方の側面に連結して対向する円柱状壁２０ｇとで他方のベルト案内溝２０ｂを構成する。この円柱状壁２０ｇに同心の図６に示す如きシャーシ１の所定位置に植立した回転軸を構成する固定用ボス２１と回転自在に係合する回転用孔２０ｈを形成する。
【００３７】
また、この円柱状壁２０ｇに連結し、所定のテンションを得るための弾性片２０ｉを介して、図６に示すようにシャーシ１の所定位置に形成されたばか孔２５に係合する係合ボス２０ｊを設ける。
【００３８】
また、このベルトガイド２０の張り調整用突起２０ｄの下側にボス２０ｆを設け、このボス２０ｆを図６に示す如くシャーシ１の所定位置に形成した所定長の長孔２６に係合する如くする。
【００３９】
この場合、ベルトガイド２０の回転用孔２０ｈを固定用ボス２１に係合すると共に係合ボス２０ｊをシャーシ１のばか孔２５に係合し、ボス２０ｆをシャーシ１の長孔２６に係合したときは、このベルトガイド２０の張り調整用突起２０ｄは他側の固定用ボス２１を回動軸として、この長孔２６に沿って所定のテンションを得るための弾性片２０ｉの弾性力に抗して自在に首振りを行うことができる。
【００４０】
本例はその他は図１と同様に構成する。
【００４１】
斯る図５、図６、図７によれば図１例同様にタイミングベルト１５のキャプスタンギア１４側にこのタイミングベルト１５の一側１５ａ及び他側１５ｂを夫々案内する一方のベルト案内溝２０ａ及び他方のベルト案内溝２０ｂを有すると共にこの一方のベルト案内溝２０ａ及び他方のベルト案内溝２０ｂの間に異物侵入防止壁２０ｃを有するベルトガイド２０を設けたので、このタイミングベルト１５の一方向の一側１５ａ及び他方向の他側１５ｂ間の隙間がこのベルトガイド２０の異物侵入防止壁２０ｃで塞がれ異物の侵入を防止することができ、所謂キャプスタンロック不良による回転不良を防止できる。
【００４２】
また、本例によれば、ベルトガイド２０の張り調整用突起２０ｄを他側を軸として弾性片２０ｉに抗して首振り自在としたのでタイミングベルト１５の停止時は、図７Ａに示す如くベルトガイド２０の張り調整用突起２０ｄはタイミングベルト１５が、この弾性片２０ｉによるテンションが緩んだ状態で安定する。
【００４３】
また、このタイミングベルト１５が図７Ｂに示す如く、矢印ｂ方向（磁気テープ１０の送り方向）に走行したときには、張り調整用突起２０ｄはこのタイミングベルト１５の走行速度に応じて、弾性片２０ｉの弾性力に抗して矢印ｃ方向に回動し、このとき、タイミングベルト１５の一側１５ａと他側１５ｂとの間隔を小さく図７ではＤ＜Ｄ0 になるので小さくなった分、このタイミングベルト１５にテンションが付与され、このタイミングベルト１５の良好な走行が行われる。
【００４４】
尚、上述例ではキャプスタンギア１４をキャプスタンモータ１１で直接駆動する如く述べたが、このキャプスタンギア１４をキャプスタンモータ１１に設けたギアを介して駆動するようにしても良いことは勿論である。
【００４５】
また、本発明は上述例に限ることなく、本発明の要旨を逸脱することなく、その他種々の構成が採り得ることは勿論である。
【図面の簡単な説明】
【００４６】
【図１】本発明テープ走行装置を実施するための最良の形態の例を示す構成図である。
【図２】本発明によるベルトガイドの一例を示す斜視図である。
【図３】本発明の要部の例の説明に供するシャーシの例を示す斜視図である。
【図４】本発明の要部の例の説明に供する断面図である。
【図５】本発明によるベルトガイドの他の例を示す斜視図である。
【図６】本発明の要部の他の例の説明に供するシャーシの例を示す斜視図である。
【図７】本発明の他の例の説明に供する要部の斜視図である。
【図８】従来のテープ走行装置の例を示す構成図である。
【符号の説明】
【００４７】
１‥‥シャーシ、２‥‥回転ドラム、３，４‥‥ガイドポスト、５‥‥テンションアーム、７‥‥供給リール台、８‥‥巻取リール台、７ｂ，８ｂ‥‥ギア部、１０‥‥磁気テープ、１１‥‥キャプスタンモータ、１１ａ‥‥キャプスタン、１３‥‥ピンチローラ、１４‥‥キャプスタンギア、１５‥‥タイミングベルト、１６‥‥ドライブギア、１７‥‥首振アーム、１８‥‥首振ギア、２０‥‥ベルトガイド、２０ａ，２０ｂ‥‥ベルト案内溝、２０ｃ‥‥異物侵入防止壁、２０ｄ‥‥張り調整用突起、２１‥‥固定用ボス
【図１】
2005285155.tif 000003
【図２】
2005285155.tif 000004
【図３】
2005285155.tif 000005
【図４】
2005285155.tif 000006
【図５】
2005285155.tif 000007
【図６】
2005285155.tif 000008
【図７】
2005285155.tif 000009
【図８】
2005285155.tif 000010